(57)【要約】【課題】流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供する。【解決手段】流動性を有する充填物が充填されている枕であって、当該枕の一つの端縁に形成されている開閉自在の開口部と、当該一つの端縁に対向する他方の端縁から当該一つの端縁に向かって延びて途中で終端し、当該枕の内部を２つに分割すると共に、当該終端部と前記一つの端縁との間に空隙部を形成する内部仕切りと、前記空隙部に前記開口部を介して脱着可能で、内部に流動性を有する充填物を収容している袋状物とからなる枕。【選択図】図１
0003156799.tif 000002
【実用新案登録請求の範囲】
【請求項１】
流動性を有する充填物が充填されている枕であって、
当該枕の一つの端縁に形成されている開閉自在の開口部と、
当該一つの端縁に対向する他方の端縁から当該一つの端縁に向かって延びて途中で終端し、当該枕の内部を２つに分割すると共に、当該終端部と前記一つの端縁との間に空隙部を形成する内部仕切りと、
前記空隙部に前記開口部を介して脱着可能で、内部に流動性を有する充填物を収容している袋状物と
からなる枕。
【請求項２】
前記内部仕切りによって２つに分割されている前記枕の内部の一方または双方における前記開口部の近傍に香料装脱部を設けたことを特徴とする請求項１記載の枕。
【請求項３】
前記袋状物の内部における前記開口部の近傍に香料装脱部を設けたことを特徴とする請求項１又は２記載の枕。
【考案の詳細な説明】
【技術分野】
【０００１】  この考案は、流動性を有する充填物が充填されていて、形状、高さ、硬さなどを任意に調整することができる枕に関する。
【背景技術】
【０００２】  従来から、流動性を有する充填物が充填されている枕が種々提案されている（例えば、特許文献１、２、３）。
【先行技術文献】
【特許文献】
【０００３】
【特許文献１】実用新案登録第３０９１４６４号公報
【特許文献２】実用新案登録第３１４１９６８号公報
【特許文献３】特開２００９−１１６９９号公報
【考案の概要】
【考案が解決しようとする課題】
【０００４】  前述した従来の枕は、内部に充填されている充填物の流動性により、寝ている人の姿勢や頭の形状に合わせて、枕の形状、高さ、硬さなど調整可能にすることを目的にしている。【０００５】  しかし、枕を使用する人の体型の個人差、寝姿（上向き、横向き）の変化に対応したり、好みの高さや、硬さに適切に対応可能な枕に関しては依然として改良の余地が残されている。【０００６】  そこで、この考案は、流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供することを目的にしている。
【課題を解決するための手段】
【０００７】  前記目的を達成するため本願は以下の考案を提案するものである。【０００８】  請求項１記載の考案は、
流動性を有する充填物が充填されている枕であって、
当該枕の一つの端縁に形成されている開閉自在の開口部と、
当該一つの端縁に対向する他方の端縁から当該一つの端縁に向かって延びて途中で終端し、当該枕の内部を２つに分割すると共に、当該終端部と前記一つの端縁との間に空隙部を形成する内部仕切りと、
前記空隙部に前記開口部を介して脱着可能で、内部に流動性を有する充填物を収容している袋状物と
からなる枕
である。【０００９】  請求項２記載の考案は、
前記内部仕切りによって２つに分割されている前記枕の内部の一方または双方における前記開口部の近傍に香料装脱部を設けたことを特徴とする請求項１記載の枕
である。【００１０】  請求項３記載の考案は、
前記袋状物の内部における前記開口部の近傍に香料装脱部を設けたことを特徴とする請求項１又は２記載の枕
である。
【考案の効果】
【００１１】  この考案によれば、流動性を有する充填物が充填されている枕であって、形状、高さ、硬さなどを任意に調整することが可能で、枕を使用する人の体型の個人差、寝姿（上向き、横向き）の変化に対応したり、好みの高さや、硬さに適切に対応可能な枕を提供することができる。
【図面の簡単な説明】
【００１２】
【図１】（ａ）内部に袋状物が装着されていない状態における本考案の枕の平面図、（ｂ）内部に袋状物が装着されている状態における本考案の枕の平面図、（ｃ）袋状物の一例を説明する斜視図。
【図２】（ａ）本考案の枕の図１（ｂ）中Ａ−Ａ断面図、（ｂ）内部仕切りによって２つに分割されている枕の形状が寝ている人の頭の位置の変化に応じて変形する状態を説明する図１（ｂ）中Ａ−Ａ断面図、（ｃ）寝ている人の頭が枕の内部に装着されている袋状物によって支持されている状態を説明する一部を省略した図１（ｂ）中Ｂ−Ｂ断面図。
【考案を実施するための形態】
【００１３】  以下、添付図面を参照して本考案の好ましい実施形態を説明する。
【００１４】  本考案の枕１は、流動性を有する充填物、例えば、そば殻１２ａ、１２ｂが充填されているものである。
【００１５】  図示の実施形態では、図１（ｂ）図示の平面視において矩形の枕１を説明するが、本考案の枕の形状はこれに限定されるものではない。
【００１６】  枕１は符号７で示される端縁に開閉自在の開口部８ａ、８ｂ、８ｃを備えている。開口部８ａ、８ｂ、８ｃは、例えば、不図示のファスナーによって開閉自在になっている。
【００１７】  端縁７に対向する他方の端縁６から端縁７に向かって延びて途中で終端している内部仕切り１０が枕１の内部に形成されている。これによって枕１の内部が２つに分割されている。内部仕切り１０は、例えば、枕１を構成する上側布２の中間部と、下側布３の中間部とを縫い合わせること等によって形成することができる。
【００１８】  内部仕切り１０は図１（ａ）図示のように、端縁６から端縁７に向かって延びて途中で終端しているので、この内部仕切り１０の終端部と端縁７との間は、空隙部１１になっている。
【００１９】  空隙部１１には開口部８ｂを介して袋状物３１が脱着可能、すなわち、取り付け、取り外し可能になっている。袋状物３１が空隙部１１に脱着可能な形態としては、例えば、不図示の面ファスナーを袋状物３１の外周面と、上側布２あるいは下側布３の内側面に配備しておき、これらの間で脱着を行う構造にすることができる。また、袋状物３１の外周面と、上側布２あるいは下側布３の内側面に不図示の掛止具・掛合具を配備しておき、これらの間で脱着を行う構造にすることもできる。
【００２０】  内部仕切り１０によって２つに分割されている枕１の内部には、開口部８ａ、８ｃを介して、流動性を有する充填物であるそば殻１２ａ、１２ｂをそれぞれ好ましい分量ずつ装入することができる。
【００２１】  そこで、開口部８ａ、８ｃを介して枕１の内部に装入するそば殻１２ａ、１２ｂの分量を適宜に調整することにより、内部仕切り１０によって図２（ａ）、（ｂ）の左右に分割されている枕１の部分の形状、高さ、硬さなどを任意に調整し、枕１を使用する人の体型の個人差、寝姿（上向き、横向き）の変化に対応させたり、好みの高さや、硬さに適切に対応させることが可能になる。
【００２２】  こうして、内部仕切り１０で区画されている図１（ｂ）、図２（ａ）の右側と左側とにおけるそば殻１２ａ、１２ｂの充填量を使用者が任意に調整できることにより、使用者の寝姿が変動し、図２（ｂ）に符号２０、２１、２２で示すように使用者の寝姿、頭２３の位置が変わっても、使用している人の頭部２３に枕１が心地よくフィットすることができる。
【００２３】  袋状物３１の内部にも流動性を有する充填物、例えば、そば殻１２ｃが充填されている。この流動性を有する充填物、例えば、そば殻１２ｃが充填されている袋状物３１は枕１の内部に配備されるものであり、枕１よりサイズが小さいので、いわば、小枕としての役割を果たすものといえる。
【００２４】  袋状物３１にも不図示のファスナーによって開閉自在になっている開口部８ｄが備えられており、開口部８ｄを介して、袋状物３１内に装入するそば殻１２ｃの量を適宜に調整することにより、図２（ｃ）図示の状態における枕１の形状、高さ、硬さなどを任意に調整し、枕１を使用する人の体型の個人差、寝姿（上向き、横向き）の変化に対応させたり、好みの高さや、硬さに適切に対応させることが可能になる。
【００２５】  例えば、枕１を使用する人が図２（ｃ）図示のような状態で枕１を使用するときには、小枕の役割を果たす袋状物３１によって寝ている人の頭２３が支持される。そこで、このような使用方法を想定して、袋状物３１の内部に充填するそば殻１２ｃの量を調整しておくことにより、枕１が図２（ｃ）図示のような状態で使用されたときであっても使用している人の頭部２３に枕１が心地よくフィットすることができる。なお、図２（ｃ）図示の場合、図示していないが枕１を使用している人の頭２３の左右両側は適宜の量のそば殻１２ａ、１２ｂが充填されていることによって図２（ａ）図示のようになっている枕１の左右両側によって適切に支持される。
【００２６】  また、小枕の役割を果たす袋状物３１が空隙部１１に取り付けられていることにより、最初に開口部８ａ、８ｃを介して枕１の内部に装入したそば殻１２ａ、１２ｂの量が変動することはない。これによって、図２（ｂ）図示のように使用者の寝姿、頭２３の位置が変わっても、内部仕切り１０によって図２（ａ）、（ｂ）の左右に分割されている枕１の部分の形状、高さ、硬さなどは最初に調整した状態を保ち、枕１を使用する人の体型の個人差、寝姿（上向き、横向き）の変化に対応させたり、好みの高さや、硬さに適切に対応させることが可能になる。
【００２７】  図示の実施形態では、枕１は、内部仕切り１０によって２つに分割されている内部の双方における開口部８ａ、８ｃの近傍に香料装脱部９ａ、９ｂを備えている。この香料装脱部９ａ、９ｂは、例えば、上側布２、あるいは下側布３の内側にポケット状の袋部を取り付けて形成することができる。
【００２８】  そこで、使用者はその好みに応じて適宜、香料を選択して香料装脱部９ａ、９ｂに装着し、良い香りによる安眠効果をあげることができる。
【００２９】  図示の実施形態では、内部仕切り１０によって２つに分割されている枕１の内部の双方における開口部８ａ、８ｃの近傍に香料装脱部９ａ、９ｂを配備しているが、どちらか一方にのみ配備されている形態にしてもよい。
【００３０】  また、袋状物３１にも同じようにして開口部８ｄの近傍に香料装脱部９ｃを配備し、ここに、使用者の好みに応じて適宜選択した香料を装着し、良い香りによる安眠効果を得るようにすることができる。
【００３１】  本考案の枕１では、開口部８ａ、８ｃが開閉自在になっているので、開口部８ａ、８ｃを開けてそば殻１２ａ、１２ｂを全部とりだし、また、香料装脱部９ａ、９ｂから装着していた香料を抜き取って、枕１を洗濯することができる。また、必要に応じて、経時変化により減少したそば殻１２ａ、１２ｂを補充することができる。
【００３２】  同様に、開口部８ｄが開閉自在になっているので、開口部８ｄを開けてそば殻１２ｃを袋状物３１から全部とりだし、また、香料装脱部９ｃから装着していた香料を抜き取って、小枕の役割を果たす袋状物３１を洗濯することができる。また、必要に応じて、経時変化により減少したそば殻１２ｃを補充することができる。
【００３３】  本考案の枕１は、図１（ｂ）中、内部仕切り１０で区画されている右側及び左側の部分に配分されているそば殻１２ａ、１２ｂの量を、開口部８ａ、８ｃから装入する装入量を適宜に調整することにより、枕１の図１（ｂ）中、内部仕切り１０で区画されている右側及び左側の部分の形状、高さ、硬さを任意に調整することができる。また、開口部８ｄから袋状物３１内に装入するそば殻１２ｃの量を適宜に調整することにより、図２（ｃ）図示のように枕１が使用された場合の枕１の形状、高さ、硬さを任意に調整することができる。
【００３４】  これによって、寝心地が良くなるばかりでなく、香料装脱部９ａ〜９ｃに装着される好みの香料の香りによる安眠効果を発揮することができる。
【００３５】  前記実施例においては、枕１、袋状物３１内に充填される流動性を有する充填物としてそば殻１２ａ〜１２ｃが使用されていたが、充填物はそば殻１２ａ〜１２ｃに限らず、ビーズ、発泡ビーズ、合成樹脂製中空パイプ、ウレタンチップ、繊維粒わた、籐のチップ、穀物粒、そば殻のいずれか、またはこれらの中の複数種の組み合わせにして使用することが可能である。
【００３６】  また、前記実施例においては、開口部８ａ、８ｂ、８ｃをそれぞれ独立している開口部としたが、枕１の符号７で示される端縁に連続的に形成されている一つの開閉自在の開口部にすることもできる。
【００３７】  更に、香料装脱部９ａ〜９ｃを配備せずに、前記の流動性を有する充填物に香料やアロマ液を含浸させて好みの香料の香りによる安眠効果を発揮させることもできる。
【符号の説明】
【００３８】１  枕
２  上側布
３  下側布
４、５、６、７  枕の端縁
８ａ、８ｂ、８ｃ、８ｄ  開閉自在の開口部
９ａ、９ｂ、９ｃ  香料装脱部
１０  内部仕切り
１１  空隙部
１２ａ、１２ｂ、１２ｃ  そば殻
【図１】
0003156799.tif 000003
【図２】
0003156799.tif 000004